(57)【要約】【課題】ウォブルを読み取ったプッシュプル信号に隣接トラックの干渉があり、低域ノイズが多く含まれる場合でも、確実なアドレス識別を行なう光ディスク装置を提供する。【解決手段】ディスクからの反射光を読取って読取信号を出力する読取部と、読取信号からウォブル信号を抽出する抽出部と、ウォブル信号の上限信号を検出する上限検出部と、ウォブル信号の下限信号を検出する下限検出部と、上限信号と下限信号との中間値信号を生成する中間値生成部と、中間値信号を閾値として、ウォブル信号を判定する判定部と、判定部が判定した判定結果に応じたアドレス値に基づき、読取部の動作を制御する制御部と、動作が制御された読取部からの読取信号をデコードして再生信号を出力するデコーダ部とを有するディスク装置。【選択図】図１
2007035145.tif 000002
【特許請求の範囲】
【請求項１】
ディスクからの反射光を読取って読取信号を出力する読取部と、
前記読取部からの読取信号から、ウォブル信号を抽出する抽出部と、
前記抽出部からの前記ウォブル信号の位相を検波する位相検波部と、
前記位相検波部の検波結果に応じて、前記ウォブル信号の上限信号を検出する上限検出部と、
前記位相検波部の検波結果に応じて、前記ウォブル信号の下限信号を検出する下限検出部と、
前記上限信号と前記下限信号との中間値信号を生成する中間値生成部と、
前記中間値信号を閾値として、前記ウォブル信号を判定する判定部と、
前記判定部が判定した判定結果に応じたアドレス値に基づき、前記読取部の動作を制御する制御部と、
前記動作が制御された読取部からの読取信号をデコードして再生信号を出力するデコーダ部と、を具備することを特徴とするディスク装置。
【請求項２】
前記上限検出部及び前記下限検出部は、前記ウォブル信号から、前記ディスクの一つのＷＤＵの前半の所定領域のウォブル信号及び前記ＷＤＵの後半の所定領域のウォブル信号のみを抽出し、これらを参照して前記上限信号及び下限信号を決定することを特徴とする請求項１記載のディスク装置。
【請求項３】
前記上限検出部及び前記下限検出部は、アタック・リリース時定数をもった信号検出を行なうことを特徴とする請求項２記載のディスク装置。
【請求項４】
前記上限検出部及び前記下限検出部は、６つ分の前記ＷＤＵの毎に、第１所定領域と前記第２所定領域との一方を選択し、選択された領域に応じたウォブル位相検波信号を選択し、これらに基づいて前記上限信号及び下限信号を決定することを特徴とする請求項２記載のディスク装置。
【請求項５】
前記上限検出部及び前記下限検出部は、前記ウォブル位相検波信号に対する応答速度を遅くした上で、前記上限信号及び前記下限信号を決定することを特徴とする請求項１記載のディスク装置。
【請求項６】
ディスクからの反射光をピックアップ部を用いて読取って読取信号を出力し、
前記読取信号からウォブル信号を抽出し、
前記抽出部からの前記ウォブル信号の位相を検波し、
前記位相検波結果に応じて、前記ウォブル信号の上限信号及び下限信号を検出し、
前記上限信号と前記下限信号との中間値信号を生成し、
前記中間値信号を閾値として、前記ウォブル信号を判定し、
前記判定結果に応じたアドレス値に基づき、前記ピックアップ部の動作を制御し、
前記読取信号をデコードして再生信号を出力することを特徴とするディスク処理方法。
【請求項７】
前記上限信号及び下限信号の検出処理の際に、前記ウォブル信号から、前記ディスクの一つのＷＤＵの前半の所定領域のウォブル信号及び前記ＷＤＵの後半の所定領域のウォブル信号のみを抽出し、これらを参照して位相検波し、この位相検波結果に応じて前記上限信号及び下限信号を決定することを特徴とする請求項５記載のディスク処理方法。
【請求項８】
前記上限検出部及び前記下限検出部は、アタック・リリース時定数をもった信号検出を行なうことを特徴とする請求項７記載のディスク装置。
【請求項９】
前記上限信号及び下限信号の検出処理の際に、６つ分の前記ＷＤＵの毎に、第１所定領域と前記第２所定領域との一方を選択し、選択された領域に応じたウォブル位相検波信号を選択し、これらに基づいて前記上限信号及び下限信号を決定することを特徴とする請求項７記載のディスク処理方法。
【請求項１０】
前記上限信号及び下限信号の検出処理の際に、前記ウォブル位相検波信号に対する応答速度を遅くした上で、前記上限信号及び前記下限信号を決定することを特徴とする請求項６記載のディスク処理方法。
【発明の詳細な説明】
【技術分野】
【０００１】
この発明は、光ディスク装置に関し、特にウォブル信号を抽出し利用する光ディスク装置及び光ディスク処理方法に関する。
【背景技術】
【０００２】
近年、情報記録媒体として、光ディスクが非常に普及してきており、その信頼性についても更なる向上が望まれている。光ディスク装置においては、ディスク上のウォブルを読み出しアドレス情報を抽出して、制御動作に用いている。
【０００３】
このような光ディスク装置において、光ディスクのウォブル位相検波の際に、主となる規準位相波（キャリア）の中に、ときどき位相反転変調された箇所が符号として出現するようなウォブル変調方式の場合、まず規準位相クロックを応答時定数の長いＰＬＬで生成し、これを基準とする相対位相を逐次検波し、基準位相と符号位相から等距離にある固定の閾値を設けて符号を識別している。ところがＨＤ  ＤＶＤ−Ｒのような位相並びのできていない（隣接トラック同士の規準位相が同じ位相にならない）隣接トラックから受ける位相干渉は、読み取り位相のオフセットとなって表れ、変調符号判別の符号間距離を圧迫している。つまり、各符号の検波位相と固定された閾値までの距離は本来等距離であるが、隣接トラックの干渉により等距離ではなくなるため、符号判定のための通常の閾値が最適値ではなくなってくる。
【０００４】
ウォブルを読み出す光ディスク装置として、特許文献１において、位相検波信号の非対称性を閾値に対して補正する光ディスク装置が示されている。
【特許文献１】特開２００５−８５４０７号公報。
【発明の開示】
【発明が解決しようとする課題】
【０００５】
しかし、ウォブルを読み取ったプッシュプル信号に隣接トラックの干渉があり、更に、プッシュプル信号に低域ノイズが多く含まれるようなディスクの場合、位相検波信号の補正が十分に行なわれず、符号読み取りエラーが発生するという問題がある。
【０００６】
隣接トラックの位相干渉や低域ノイズに対しても読出エラーを起こさず、確実なアドレス識別により安定した読み出し動作を行なう光ディスク装置を提供することを目的とする。
【課題を解決するための手段】
【０００７】
本発明の一実施の形態は、ディスクからの反射光を読取って読取信号を出力する読取部と、前記読取部からの読取信号から、ウォブル信号を抽出する抽出部と、前記ウォブル信号の上限信号を検出する上限検出部と、前記ウォブル信号の下限信号を検出する下限検出部と、前記上限信号と前記下限信号との中間値信号を生成する中間値生成部と、前記中間値信号を閾値として、前記ウォブル信号を判定する判定部と、前記判定部が判定した判定結果に応じたアドレス値に基づき、前記読取部の動作を制御する制御部と、前記動作が制御された読取部からの読取信号をデコードして再生信号を出力するデコーダ部と、を具備することを特徴とするディスク装置である。
【発明の効果】
【０００８】
ウォブルを読み取ったプッシュプル信号に隣接トラックの干渉があり、低域ノイズが多く含まれる場合でも、確実なアドレス識別を行なう光ディスク装置を提供する。
【発明を実施するための最良の形態】
【０００９】
以下、この発明の実施の形態について図面を参照して詳細に説明する。
【００１０】
初めに、図１は、本発明の一実施形態に係る光ディスク装置の構成の一例を示すブロック図、図２は、本発明の一実施形態に係る光ディスク装置が扱う光ディスクのウォブルの一例を示す説明図、図３は、同様に、ウォブル信号の物理セグメント構造の一例を示す図、図４は、同様に、ウォブル信号の変調位置の例を示す図、図５は、同様に、ウォブル信号のセグメントタイプの一例を示す図、図６は、同様に、ウォブル信号のコーディング構造の一例を示す図、図７は、一般的な光ディスク装置において、ウォブル上のノイズにより発生した誤読出の一例を説明するタイミングチャート、図８は、本発明の一実施形態に係る光ディスク装置の読出処理により耐ノイズ性を備えた読出処理の一例を説明するタイミングチャート、図９は、同様に、読出処理及び応答速度調整により耐ノイズ性を備えた読出処理の他の一例を説明するタイミングチャートである。
【００１１】
＜本発明の一実施の形態である光ディスク装置の一例＞
本発明の一実施の形態である光ディスク装置は、ウォブルを読み取ったプッシュプル信号に隣接トラックの干渉があり、低域ノイズが多く含まれる場合でも、ウォブル信号の上限値と下限値とを求めこの中間値を閾値として符号判定する。これにより、誤判定のないアドレス情報を検出しこれに基づく制御動作を行なうことができる光ディスク装置を提供する。初めに、本発明の一実施の形態である光ディスク装置の一例について、図１を用いて、詳細に説明する。
【００１２】
（構成）
本発明の一実施の形態である光ディスク装置は、図１において、一例として、ＨＤ  ＤＶＤ等の光ディスクＤを扱うものである。光ディスク装置は、ディスクＤのグルーブ記録面にフォーカスされた参照ビームからの反射光を電圧信号に変換するピックアップ３と、ピックアップ３から出力された信号を増幅するプリアンプ７と、この増幅信号を受けてプッシュプル信号を出力するプッシュプル信号生成８と、全体の動作やピックアップ３等の動作を制御する制御部３１とを有する。更に、光ディスク装置は、通常のＲＦ信号の再生機能のために、プリアンプ７の出力を受けるイコライザ部２６と、この出力に対してＭＰＥＧデコード処理等を行なうデコーダ部２と、デコーダ部の出力を図示しない外部装置に供給するためのＩ／Ｆ部２８とを有している。
【００１３】
更に、光ディスク装置は、プッシュプル信号生成８からの反射光束をラジアル方向に２分割した領域となるディテクタの信号同士の差信号（このプッシュプル信号にプリグルーブのウォブル信号が含まれる）を受けてフィルタ処理を行なうバンドパスフフィルタ９を有している。このバンドパスフフィルタ９は、ウォブル信号の位相を読み取り易くするために、プッシュプル信号に含まれるウォブル以外のＲＦ漏れ込み信号や消し残り信号、隣接消去信号、トラッキングサーボ追従残差信号などを、周波数弁別によって除去する。なお、この特性は逆にウォブル波に対しても波形歪みや位相シフトにもなる可能性があるので、必要な位相精度に応じて再生線速度に周波数トラッキングさせるなどの機構を設けることが有効である。又は、ノイズが多い場合のみＢＰＦを掛ける、又は、選択特性を強めにする等、状況を検出して選択的にＢＰＦの特性を変えることも好適である。
【００１４】
更に、光ディスク装置は、バンドパスフィルタ９からのウォブル信号を受けるウォブルＰＬＬ回路１０を有している。ウォブルＰＬＬ回路１０は、入力されるウォブル信号に対して位相追従した単一クロックを発生する。又、ウォブルＰＬＬ回路１０は、位相比較器１１と、その出力を受けるループ補償部１２と、その出力を受けるＶＯＣ１３と、その出力を受ける分周器１４とを有している。ＶＣＯ１３で発振した源発振周波数を、分周器１４でウォブル周波数まで下げ、位相比較部１１で入力ウォブルとの位相差情報を抽出して、ループ補償部１２で必要な制御帯域と制御ゲインを調整し、ＶＣＯ１３に帰還することでＰＬＬを構成している。このウォブルＰＬＬクロックは、全体の動作や、ピックアップ３等の動作を制御する制御部３１に供給される。
【００１５】
すなわち、ＰＬＬ動作が符号変調箇所に影響されないようにする手法では、他に、符号箇所が出現することを別の９０度検波軸の異なる位相検波結果で検出し、この結果を持ってＰＬＬのループの制御極性を反転する、又はミュートする、又は前値ホールドする、又は平均値ホールドする等を行う手法がある。
【００１６】
更に、この追加手法として、符号到来の規則性からあらかじめ符号の位置を予測し、その時間範囲にだけ上記の処理を行えば、符号以外の箇所で誤動作するような事故を避けることが可能となる。
【００１７】
ここで、ウォブル中にはフィジカルアドレスが位相変調によって埋め込まれた箇所があり、ここで位相が一時的に反転するが、ＰＬＬの追従時定数をこれに応答しないような長い値に設定することにより、符号変調箇所にあまり影響されずに基本位相のクロック（ＰＬＬクロック）を生成することができる。
【００１８】
更に、光ディスク装置は、ＰＬＬクロックとウォブル信号は同期位相検波部１５と、これに続く本発明の一実施形態である閾値補正のための構成を有している。すなわち、光ディスク装置は、図１において、同期位相検波部１５の出力が接続されるシンク検出部１６と、シンク検出部１６の出力を受けるセグメント周期発生部１７と、サンプルタイミング発生部１８と、この出力をそれぞれ受けるＮＰＷ値生成部２０と、ＩＰＷ値生成部２１と、これらの値から閾値を生成する閾値生成部２３と、この閾値を用いて符号判定を行なう符号判定部２４と、判定した符号信号ｅによりアドレスをデコードして制御部３１に供給するアドレスデコーダ部２９とを有する。更に、光ディスク装置は、同期位相検波部１５からの信号から４波平均を生成して供給する４波平均部１９と、同じく同期位相検波部１５からの信号から、ＷＤＵ（Wobble Data Unit）のタイプをプライマリ・セカンダリと判定して閾値生成部２３に供給するＷＤＵタイプ判定部２２とを有している。
【００１９】
（光ディスク装置が扱うウォブルの構成の一例）
次に、このような構成をもつ光ディスク装置が扱う光ディスクのウォブルの構成について、図２乃至図６を用いて以下に詳細に説明する。
【００２０】
図２は、ＨＤ  ＤＶＤ−Ｒにて、プリグルーブがウォブリングされている様子を示している。ディスクＤ上のランドトラックＬ及びグルーブトラックＧに沿って、ランドトラックＬのうねりとしてウォブルが設けられている。ここで、トラックのセグメントのスタート点を基準にして、ディスク外周側に振り始める正弦波となっているウォブル位相をＮＰＷ（非反転位相ウォブル）、ディスク内周方向に振り始める位相をＩＰＷ（反転位相ウォブル）とし、ウォブル変調符号の“０”をＮＰＷ４波、符号“１”をＩＰＷ４波で情報を記録するものである。
【００２１】
又、図３は、ＨＤ  ＤＶＤ−Ｒでのセグメント内の構造を示している。図３において、１データセグメントが７フィジカルセグメントで構成されており、その１フィジカルセグメントは１７のＷＤＵから構成される。ここで、ＷＤＵは、８４ウォブルの長さがある。
【００２２】
１つめのＷＤＵ０は、ＳＹＮＣフィールドで、ＳＹＮＣパターンが変調されている。これに続くＷＤＵ１〜ＷＤＵ１１は、フィジカルアドレスが３bitずつコーディングされている。更に続くＷＤＵ１２〜ＷＤＵ１６は無変調領域であることが図３からわかる。
【００２３】
又、図４は、ＷＤＵの中の符号変調位置を示している。ここで、ＷＤＵにはプライマリとセカンダリの２種があり、プライマリＷＤＵではＷＤＵ先頭に変調部分があり、セカンダリＷＤＵでは先頭から４２ウォブル後ろに変調部分がある。ＳＹＮＣフィールドでは符号先頭から６個のＩＰＷ、４個のＮＰＷ、６個のＩＰＷと並び、アドレスフィールドでは先頭識別子として４個のＩＰＷの後、アドレスデータが１bitあたり４ウォブル用いて３bitが描かれている。
【００２４】
ここで、ＣＬＶ方式であるＨＤ  ＤＶＤ−Ｒでは、ＣＬＶの原理から、トラック１周の長さが徐々に変化するので隣接トラックとのセグメント周期の位相は除所にずれていく。セグメント内の固定の位置に符号変調箇所があると、いつか隣接トラックと符号が並んでしまい位相干渉が複雑になる。そこで、このディスク規格では、符号変調箇所をＷＤＵ内の前半（プライマリ）か後半（セカンダリ）かの２種類設け、この組み合わせにより符号が隣接と並ぶことがないことを保証している。
【００２５】
又、図５では、このプライマリとセカンダリとの組合せの例がタイプ１，タイプ２，タイプ３として示されている。
【００２６】
又、更に、図６では、ウォーブルコーディングの構成例が示されている。ここでは、ＳＹＮＣフィールド、アドレスフィールド、ユニティフィールドの具体的な構成の一例が詳細に示されている。
【００２７】
（動作：第1実施形態）
次に、本発明に係る一実施の形態である光ディスク装置において、隣接トラックの位相干渉や低域ノイズに対しても読出エラーを起こさないための、ウォブル信号の処理について、図面を用いて具体的に説明する。
【００２８】
第１実施形態は、ウォブル信号の判定のための閾値を、ウォブル信号の位相を検波しこの検波結果に応じてウォブル信号の上限ウォブル信号の上限信号と下限信号との中間値により生成し、この閾値によりウォブル信号の判定を行なうものであり、更に、ウォブル信号の上限信号と下限信号とを決定するためのサンプルを、プライマリ用の反転領域及びセコンダリ用の反転領域に関するサンプルだけに限定し、その後、複数（６つ分）のＷＤＵの毎にプライマリ・セコンダリを判定して、判定結果に応じて一方のサンプルだけを選択しこれに応じて上限信号及び下限信号を決定するものである。
【００２９】
・読出エラー発生の場合
初めに、通常の光ディスク装置において発生する読出エラーについて、図７を用いて説明する。図１に示すような光ディスク装置を参照し、通常の光ディスク装置を想定した際に、図７の『隣接トラック位相干渉を受けないウォブル信号』αは、符号判定部２４の出力において、図７の位相検波結果βとなって検出されるものと考えられる。
【００３０】
しかしながら、実際のウォブル信号は、図７のウォブル信号α０のように、隣接トラック位相干渉を受けており、更に、ノイズが乗っているため、同期位相検波部１５の出力として、図７の位相検波結果ａ０のような軌跡を描くものである。
【００３１】
このとき注目すべきは、通常の閾値Ｔｈにより符号判定部２４で判定すると、図７に示すように、特にエラー信号Ｅにおいて、単なるノイズを位相反転があったものと誤判断してしまい、エラー信号Ｅが出力されてしまう。隣接トラック位相干渉と共にノイズの影響を受けると、このような誤判断が頻発し、アドレスの信頼性が低下して、ピックアップ等の動作制御に用いることができなくなるという不具合が発生する。
【００３２】
・第１実施形態による符号判別処理
次に、第1実施形態の場合の符号判別処理を手順を追って、詳細に説明する。光ディスク装置は、プッシュプル信号生成８からの反射光束をラジアル方向に２分割した領域となるディテクタの信号同士の差信号（このプッシュプル信号にプリグルーブのウォブル信号が含まれる）を受ける。バンドパスフフィルタ９は、この差信号を受け、ウォブル信号の位相を読み取り易くするために、プッシュプル信号に含まれるウォブル以外のＲＦ漏れ込み信号や消し残り信号、隣接消去信号、トラッキングサーボ追従残差信号などを、周波数弁別によって除去する。
【００３３】
バンドパスフィルタ９からのウォブル信号を受けた同期位相検波部１５は、図８に示す位相検波出力ａを出力し、これをシンク検出部１６に供給する。
【００３４】
シンク検出部１６は、この出力波形のパターンからセグメントシンク（同期波形）を検出する。セグメント周期発生部１７は、セグメントシンクを基点として、フライホイールカウンタによりウォブルＰＬＬクロックで１セグメントの周期をカウントする。サンプルタイミング発生部１８は、セグメント周期発生部１７のカウンタ値により各ＷＤＵごとの変調符号のくる予定の先頭１６ウォブル時間区間に更に前後の２ウォブル足して合計２０ウォブル用のサンプルフラグを立てる。ＷＤＵには、プライマリＷＤＵとセカンダリＷＤＵがあるが、事前にはどちらが来るか判らないので両方に対応して、サンプルフラグを立てる。これにより、各実施形態の共通基本動作として、ＷＤＵ毎にプライマリ位置での２０ウォブル(１６ウォブル＋前後２ウォブル)とセカンダリ位での２０ウォブルの最大と最小をサンプル処理する。
【００３５】
４波平均部１９では、位相検波結果ａを４波平均して、４波平均結果ｂを出力する。
【００３６】
ＮＰＷ値生成部２０は、４波平均結果ｂについて、先に発生されたサンプルタイミング区間（図４の領域Ａ及び領域Ｂ）での正の最大値を保持し、１ＷＤＵごとのプライマリ／セカンダリ別にサンプル値（上限信号）を出力する。
【００３７】
同じくＩＰＷ値生成部２１は、４波平均結果ｂについて、サンプルタイミング区間（図４の領域Ａ及び領域Ｂ）での負の最大値を保持し、１ＷＤＵごとのプライマリ／セカンダリ別にサンプル値（下限信号）を出力する。
【００３８】
なお、ここえ、サンプル値を求めるタイミングにつき、図４の領域Ａ及び領域Ｂだけに限ることで、位相反転の箇所を効率的に検出するとともに、不要なノイズの影響を回避することができる。
【００３９】
ＷＤＵタイプ判別部２２では、ＷＤＵのタイプがプライマリかセカンダリかを同期位相検波の結果に基づき、前半６ＷＤＵと後半６ＷＤＵの２つそれぞれについて判断する。閾値生成部２３では、ＷＤＵごとに出力されるＮＰＷ値とＩＰＷ値から符号判別に用いる閾値ＴｈＮを作り出す。
【００４０】
ＮＰＷ値生成部２０では、ＷＤＵごとに発生するＮＰＷ値を、まず前半６ＷＤＵ分集めて、ＷＤＵタイプ判別部２２の結果が示すほうのタイプの値を残し、これを元に６ＷＤＵ区間での代表値（上限信号）ｃを１つ作る。ここで代表値の作り方は、６個の平均値、又、最大最小値を除いた残り４個の平均値（大きい方から２〜５番目の平均値）、又、最大最小２個ずつ除いた残り２個の平均値（大きい方から３〜４番目の平均値）等の方法が好適である。
【００４１】
ＩＰＷ値生成部２１では、同じくＩＰＷ値について、ＮＰＷと同様にタイプ判別の結果のものを平均等して前半６ＷＤＵでの代表値（下限信号）ｄを作る。
【００４２】
閾値生成部２３では、このＮＰＷとＩＰＷの代表値から等距離にある値（平均値）を符号判定閾値ＴｈＮとして出力する。符号判定部２４ではこの判定閾値ＴｈＮを受けて、４波平均部１９の出力を判定し、変調符号の検出結果ｅとする。
【００４３】
又、後半６ＷＤＵも同様で、代表値を作り閾値を生成する。このように、閾値ＴｈＮを決めることによって、図８の上限信号ｃ、下限信号ｄ、閾値ＴｈＮの関係からも明らかなように、図８の判定Ｑにおいて、ノイズの影響を受けておらずエラーが発生することもない。従って、少なくとも半セグメントごとに隣接トラックの位相干渉の変化にも対応する閾値ＴｈＮが生成できるため、図７の場合の固定閾値Ｔｈよりも誤り率の低い符号判定が可能となるものである。又、ノイズに翻弄されない安定した閾値を得ることができる。
【００４４】
（動作：第２実施形態）
第２実施形態は、ウォブル信号の判定のための閾値を、ウォブル信号の位相を検波しこの検波結果に応じてウォブル信号の上限信号と下限信号を生成しこれらの中間値により生成し、この閾値によりウォブル信号の判定を行なうものであり、更に、ウォブル信号の上限信号と下限信号とを決定するためのサンプルを、プライマリ用の反転領域及びセコンダリ用の反転領域に関するサンプルだけに限定し、その後、複数（６つ分）のＷＤＵの毎にプライマリ・ウォブル信号の上限信号と下限信号との中間値により生成し、この閾値によりウォブル信号の判定を行なうものであり、ＷＤＵ毎に発生するＮＰＷ値・ＩＰＷ値に対してアタック／リリース時定数のあるピーク検波・ボトム検波により、代表値を決定する。ここで、第１実施形態を簡略化すべく、複数のＷＤＵに渡る判定結果は求めないものである。
【００４５】
すなわち、第１実施形態では、ＮＰＷ（上限信号）とＩＰＷ（下限信号）の代表値は、６ＷＤＵごとに算出しているが、第２実施形態においては、ＮＰＷ値生成部２０及びＩＰＷ値生成部２１において、（６ＷＤＵごとの計算処理ではなく）毎ＷＤＵごとの逐次処理を行なうものである。
【００４６】
つまり、図１のＮＰＷ値生成部２０及びＩＰＷ値生成部２１において、ＷＤＵごとに符号前後のサンプリング区間を設け、アタック／リリース時定数のあるピーク検波・ボトム検波を行い、ＮＰＷ代表値及びＩＰＷ代表値を求めるものである。ここで、それぞれのアタック時定数は、完全アタックに近くてよく、一方リリース時定数は、トラック間位相干渉の変化にやっと追従できるぐらいの速さが適当である。このようにアタック／リリース時定数のあるピーク検波・ボトム検波を行なうことにより、瞬間的なノイズに対して、極端な値の閾値が出力されるということがなくなるため、比較的安定した符号判定処理を行なうことができる。
【００４７】
（動作：第３実施形態）
第３実施形態は、第１実施形態を簡略化したものであり、ウォブル信号の判定のための閾値を、ウォブル信号の上限信号と下限信号との中間値により生成し、この閾値によりウォブル信号の判定を行なうことを特定する。
【００４８】
第３実施形態においては、第２実施形態と同様に、図１のＮＰＷ値生成部２０及びＩＰＷ値生成部２１において、ＷＤＵごとの逐次処理により代表値を決定する。しかし、反応速度を遅くするための処理としては、第１実施形態のように複数のＷＤＵに渡って統計的な処理を行なうこともなく、又、第２実施形態のように、アタック／リリース時定数によるピーク・ボトム検波を行うこともない。
【００４９】
従って、第３実施形態においては、第１及び第２実施形態に比べて反応速度が早いため、位相干渉が規格以上に大きい特別なディスクの場合に急激に位相干渉量が変化しても適切な閾値が生成できるという特徴がある。
【００５０】
（動作：第４実施形態）
第４実施形態は、第１実施形態を簡略化したものであり、第２実施形態と同様にＷＤＵ毎に代表値を決定する処理であるが、ＮＰＷ値の代表値の生成法として、符号近傍のサンプルだけでなく、全部の時間の４波平均位相検波結果について、応答速度を遅くしながら代表値を決定することを特定する。
【００５１】
すなわち、第４実施形態においては、図１のＮＰＷ値生成部２０及びＩＰＷ値生成部２１において、回路上の時定数を異ならせるか、プログラム上でスルーレート制限をかけることで、図９に示すように応答速度を遅くしながら、ウォブル信号の上限信号と下限信号である代表値を決定するものである。なお、制限スルーレートは、トラック間位相干渉の変化にやっと追従できるぐらいの値が適当である。ＩＰＷ側の処理は、第２実施形態と同様にボトム値検波で行う。又、ピーク値においては、サンプリング処理を行なわないものである。
【００５２】
すなわち、第４実施形態においては、ＩＰＷ側は第２実施形態と同様であるが、ＮＰＷ側は２０ウォブル区間のサンプルを行なわず、入力された信号全部に対して、応答速度を鈍らせた信号を作りって閾値の生成に用いる。
【００５３】
第４実施形態においては、このような処理を行なうことで、第１実施形態よりもずっと簡略化された処理により、回路構成及び処理負担を軽減しながら、同等の耐ノイズ性をもったアドレス検出による動作安定性を得ることが可能となる。
【００５４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５５】
【図１】本発明の一実施形態に係る光ディスク装置の構成の一例を示すブロック図。
【図２】本発明の一実施形態に係る光ディスク装置が扱う光ディスクのウォブルの一例を示す説明図。
【図３】本発明の一実施形態に係る光ディスク装置が扱うウォブル信号の物理セグメント構造の一例を示す図。
【図４】本発明の一実施形態に係る光ディスク装置が扱うウォブル信号の変調位置の例を示す図。
【図５】本発明の一実施形態に係る光ディスク装置が扱うウォブル信号のセグメントタイプの一例を示す図。
【図６】本発明の一実施形態に係る光ディスク装置が扱うウォブル信号のコーディング構造の一例を示す図。
【図７】一般的な光ディスク装置において、ウォブル上のノイズにより発生した誤読出の一例を説明するタイミングチャート。
【図８】本発明の一実施形態に係る光ディスク装置の読出処理により耐ノイズ性を備えた読出処理の一例を説明するタイミングチャート。
【図９】本発明の一実施形態に係る光ディスク装置の読出処理及び応答速度調整により耐ノイズ性を備えた読出処理の他の一例を説明するタイミングチャート。
【符号の説明】
【００５６】
Ｄ…光ディスク、３…ピックアップ、４…レーザダイオード、５…対物レンズ、６…フォトディテクタ、７…プリアンプ、８…プッシュプル信号生成部、９…バンドパスフィルタ、１０…ウォブルＰＬＬ回路、１５…同期位相検波部、１６…シンク検出部、１７…セグメント周期発生部、１８…サンプルタイミング発生部、１９…４波平均部、２０…ＮＰＷ値生成部、２１…ＩＰＷ値生成部、２２…ＷＤＵタイプ判別部、２３…しきい値生成部、２４…符号判定部、２５…制御部、２６…デコーダ部、２７…Ｉ／Ｆ部。
【図１】
2007035145.tif 000003
【図２】
2007035145.tif 000004
【図３】
2007035145.tif 000005
【図４】
2007035145.tif 000006
【図５】
2007035145.tif 000007
【図６】
2007035145.tif 000008
【図７】
2007035145.tif 000009
【図８】
2007035145.tif 000010
【図９】
2007035145.tif 000011